(57)【要約】【課題】  本発明は波長分割多重方式光通信に使用される経済的な光源として、温度調節器を使用しなくても外部温度変化に関係なくファブリーペローレーザーの波長ロックを維持する方法及びこれを利用した波長分割多重方式光源を提供する。【解決手段】  本発明の波長分割多重方式光源は、スペクトル分割された非干渉性光を注入して注入光の波長と一致する発振モードのみを増幅して出力するファブリーペローレーザーと、ファブリーペローレーザーに提供されるバイアス電流を温度と、温度に応じて変わる注入光と発振モードの波長との間の関係と、に応じて変わるファブリーペローレーザーのしきい値電流に隣接した値に調節するバイアス制御部と、を含んで構成され、ファブリーペローレーザーのしきい値電流に隣接した値のバイアス電流をファブリーペローレーザーに提供することにより、温度調節器を使用しなくても温度変化に関係なく良好な伝送特性を維持することができる。【選択図】  図５
2004327988.tif 000002
【特許請求の範囲】
【請求項１】
スペクトル分割された非干渉性光を注入して前記注入光の波長と一致する発振モードのみを増幅して出力するファブリーペローレーザーと、
前記ファブリーペローレーザーに提供されるバイアス電流を、温度と、温度に応じて変わる注入光と発振モードの波長との間の関係と、に応じて変わる前記ファブリーペローレーザーのしきい値電流に隣接した値に調節するバイアス制御部と、からなることを特徴とする波長分割多重方式光源。
【請求項２】
前記バイアス制御部は、
前記ファブリーペローレーザーのしきい値電流を感知するしきい値電流感知器と、
前記感知されたしきい値電流に応じて前記ファブリーペローレーザーに提供されるバイアス電流を調節するバイアス制御器と、からなる請求項１記載の波長分割多重方式光源。
【請求項３】
前記バイアス制御部は、前記ファブリーペローレーザーに提供されるバイアス電流が前記ファブリーペローレーザーのしきい値電流の０.５倍以上、１.５倍以下になるように調節する請求項１、または２記載の波長分割多重方式光源。
【請求項４】
前記しきい値電流感知器は、前記ファブリーペローレーザーの光出力変化により前記ファブリーペローレーザーのしきい値電流を感知する光出力センサーを含む請求項２記載の波長分割多重方式光源。
【請求項５】
前記しきい値電流感知器は、前記ファブリーペローレーザーのインピーダンス変化により前記ファブリーペローレーザーのしきい値電流を感知するインピーダンスセンサーを含む請求項２記載の波長分割多重方式光源。
【請求項６】
前記しきい値電流感知器は、前記ファブリーペローレーザーの使用温度を感知する温度センサー及びルックアップテーブルで構成された請求項２記載の波長分割多重方式光源。
【請求項７】
光源と、
注入光の波長と一致しない発振モードは抑制し、前記注入光の波長と一致する発振モードのみを増幅して出力するファブリーペローレーザーと、
前記光源から発生された光をスペクトル分割して前記ファブリーペローレーザーの注入光に提供し、前記ファブリーペローレーザーにより波長ロックされた信号を多重化する波長分割多重化装置と、
前記光源から発生された光を前記波長分割多重化装置に入力し、前記波長分割多重化装置により多重された信号を伝送リンクに出力する循環器と、
温度に応じて変わる前記ファブリーペローレーザーのしきい値電流を感知するしきい値電流感知器と、
前記感知されたしきい値電流に応じて前記ファブリーペローレーザーに提供されるバイアス電流を前記しきい値電流に隣接した値に調節するバイアス制御器と、からなることを特徴とする波長分割多重方式光源。
【請求項８】
ファブリーペローレーザーの波長ロック維持方法において、
温度と、温度に応じて変わる注入光と発振モードの波長との間の関係と、に応じて変わる前記ファブリーペローレーザーのしきい値電流を測定する過程と、
前記しきい値電流に隣接した値のバイアス電流を前記ファブリーペローレーザーに提供する過程と、
スペクトル分割された非干渉性光を前記ファブリーペローレーザーに注入する過程と、からなることを特徴とする外部温度変化に関係なくファブリーペローレーザーの波長ロックを維持する方法。
【請求項９】
前記ファブリーペローレーザーに提供されるバイアス電流は、前記ファブリーペローレーザーのしきい値電流の０.５倍以上、１.５倍以下である請求項８記載の方法。
【請求項１０】
前記ファブリーペローレーザーのしきい値電流を測定する過程は、前記ファブリーペローレーザーの光出力変化を測定することにより遂行される請求項８、または９記載の方法。
【請求項１１】
前記ファブリーペローレーザーのしきい値電流を測定する過程は、前記ファブリーペローレーザーのインピーダンス変化を測定することにより遂行される請求項８、または９記載の方法。
【請求項１２】
ファブリーペローレーザーの波長ロック維持方法において、
温度と、温度に応じて変わる注入光と発振モードの波長との間の関係と、に応じて変わる前記ファブリーペローレーザーの多様な温度変化に応じたしきい値電流を測定する過程と、
前記温度及びこれに対応されるしきい値電流をデータ化して貯蔵する過程と、
前記ファブリーペローレーザーの使用温度を測定する過程と、
前記貯蔵されたデータを利用して前記ファブリーペローレーザーの使用温度に対応するしきい値電流に隣接した値のバイアス電流を前記ファブリーペローレーザーに提供する過程と、
スペクトル分割された非干渉性光を前記ファブリーペローレーザーに注入する過程と、からなることを特徴とする外部温度変化に関係なくファブリーペローレーザーの波長ロックを維持する方法。
【請求項１３】
前記ファブリーペローレーザーに提供されるバイアス電流は、前記ファブリーペローレーザーのしきい値電流の０.５倍以上、１.５倍以下である請求項１２記載の方法。
【発明の詳細な説明】
【技術分野】
【０００１】
本発明はファブリーペローレーザーを利用した光通信に関し、特に温度調節器を使用しなくても外部温度変化に関係なくファブリーペローレーザーの波長ロック(wavelength-locking)を維持する方法及びこれを利用した波長分割多重方式光源に関する。
【背景技術】
【０００２】
一般的に、波長分割多重方式受動型光加入者ネットワーク(passive optical network：ＰＯＮ)は、各加入者に付与された固有の波長を利用して超高速広帯域通信サービスを提供する。従って、通信の秘密保護を確保するばかりでなく、各加入者が要求する別の通信サービス、または通信容量を容易に拡大することができる。さらにまた、新たな加入者に付与される固有の波長を追加することにより、容易に加入者の数を拡大することもできる。このような利点にもかかわらず、中央基地局(central office：ＣＯ)と各加入者端で、特定発振波長の光源と、光源の波長を安定化するための付加的な波長安定化回路とを必要とし、且つ、加入者に高い経済的負担を要求するために、波長分割多重方式受動型光加入者ネットワークはまだ実用化されていない。従って、波長分割多重方式受動型光加入者ネットワークの具現のためには、経済的な波長分割多重方式光源の開発が必須的である。
【０００３】
このような波長分割多重方式光源として、分散帰還レーザーアレー(distributed feedback laser array：DFB laser array)、多波長レーザー(multi-frequency laser:ＭＦＬ)、スペクトル分割方式光源(spectrum-sliced light sourｃe)、非干渉性光に波長ロックされたファブリーペローレーザー(wavelength-locked Fabry-Perot Laser with incoherent light)などが提案された。
しかし、分散帰還レーザーアレーと多波長レーザーは、製作過程が複雑であり、波長分割多重方式のために光源の正確な波長選択性と波長安定化が必須的な高価な素子である。
【０００４】
最近、活発に研究されているスペクトル分割方式光源は、広い帯域幅の光信号を光学フィルター(optical filter)、または導波路型回折格子(waveguide grating router：ＷＧＲ)を利用してスペクトル分割することにより、多数の波長分割されたチャネルを提供することができる。従って、特定発振波長の光源が必要でなく、波長安定化のための装備も必要でない。このようなスペクトル分割方式光源として発光ダイオード(light emitting diode：ＬＥＤ)、超発光ダイオード(super luminescent diode：ＳＬＤ)、ファブリーペローレーザー(Fabry-Perot laser：FP laser)、光ファイバ増幅器光源(fiber amplifier light sourｃe)、極超短光パルス光源などが提案された。
【０００５】
しかし、スペクトル分割方式光源として提案された発光ダイオードと超発光ダイオードは、光帯域幅が広く、安価であるが、変調帯域幅が狭く、出力が低いので、下向き信号に比べて変調速度が低い上向き信号のための光源に適している。ファブリーペローレーザーは安価で高出力な素子であるが、帯域幅が狭くて多数の波長分割されたチャネルを提供することができず、スペクトル分割された信号を高速に変調して伝送する場合、モード分割雑音(mode partition noise)による性能低下が深刻であるとの短所がある。極超短パルス光源は光源のスペクトル帯域が非常に広く、干渉性(Coherent)があるが、発振されるスペクトルの安定度が低く、またパルスの幅が数ｐｓにすぎないので、具現が難しい。
【０００６】
前記光源の代わりに、光ファイバ増幅器で生成される自然放出光(amplified spontaneous emission light：ＡＳＥ light)をスペクトル分割して多数の波長分割された高出力チャネルを提供することができるスペクトル分割方式光ファイバ増幅器光源(spectrum-sliced fiber amplifier light source)が提案された。しかし、スペクトル分割方式光源は、各チャネルが相異なるデータを伝送するためにLiNbO３(Litium Niobate)変調器のような高価な外部変調器を別に使用しなければならない。
【０００７】
一方、非干渉性光に波長ロックされたファブリーペローレーザーは、発光ダイオード、または光ファイバ増幅器光源のような非干渉性光源で生成される広帯域幅の光信号を、光学フィルター、または導波路型回折格子を利用してスペクトル分割した後、アイソレーター(isolator)が装着されないファブリーペローレーザーに注入して出力される波長ロックされた信号を伝送に使用する。一定出力以上のスペクトル分割された信号がファブリーペローレーザーに注入される場合、ファブリーペローレーザーは注入されるスペクトル分割された信号の波長と一致する波長のみを生成して出力する。このような非干渉性光に波長ロックされたファブリーペローレーザーは、ファブリーペローレーザーをデータ信号に応じて直接変調することにより、より経済的にデータを伝送することができる。
【０００８】
図１は一般的なファブリーペローレーザーの波長ロック現象を説明するための図である。図面で、１０は一般的なファブリーペローレーザー４０の光スペクトルを示し、２０はファブリーペローレーザー４０に入力される外部非干渉光のスペクトルを示し、３０は入力される外部非干渉光に波長ロックされたファブリーペローレーザーの光スペクトルを示す。
【０００９】
図１を参照すると、ファブリーペローレーザー４０は単一波長を出力する分散帰還レーザーとは異なり、レーザーダイオードの共振波長と製作物質の利得特性に応じて、１個の波長を中心に一定波長間隔に位置する複数の発振モードが示される(１０)。この時、外部から干渉光、または非干渉光２０が入力されると、注入光の波長と一致しない発振モードは抑制され、注入光の波長と一致する発振モードのみが増幅され出力される(３０)。
【００１０】
しかし、ファブリーペローレーザーが高速長距離伝送に適合した波長ロックされた信号を出力するためには、広帯域幅の高出力光信号を注入すべきである。加えて、外部温度を制御しない場合、外部温度に変化があると、ファブリーペローレーザーのモードが変わるようになり、これによってファブリーペローレーザーは注入されるスペクトル分割された信号の波長と一致する波長から離れて、ロック現象が解消されるので、波長ロックされたファブリーペローレーザーを利用した波長分割多重方式光源として使用できなくなる。これはファブリーペローレーザーの波長変化率が約０.１ｎｍ/℃である反面、注入光のスペクトル分割に使用されるアレイ導波路回折格子の波長変化率は約０.０１ｎｍ/℃であるからである。従って、温度変化に応じて注入光とファブリーペローレーザーの発振モードのスペクトル重なり(spectral overlap)が変わることを避けることができない。
【００１１】
図２は周囲温度変化に応じた外部注入光とファブリーペローレーザー出力光の波長変化を示した図である。図２ａで周囲温度がＴ０であり、図２ｂ、図２ｃ、図２ｄに△Ｔだけ増加するにつれて、ファブリーペローレーザーの発振波長が赤色偏移(Reｄ shift)することを示す。この時、図２ａ、図２ｄでは注入光の３ｄＢ線幅(Ａ)内に存在する発振モードが波長ロックされる(太い矢印に表記)が、図２ｂと図２ｃでは注入光の３ｄＢ線幅(Ａ)内に発振モードが存在しない状況が発生し、この時、波長ロック現象が消えることがわかる。
従って、波長ロックされたファブリーペローレーザーを波長分割多重方式光源として使用しようとすると、外部温度制御器(Thermo-Electric Cooler controller)が必須的である。
【００１２】
図３は温度調節器が装着された従来のファブリーペローレーザーの構造を示した図である。
図３を参照すると、従来のファブリーペローレーザーは、ＴＥＣ(Thermo-Electric cooler)制御器(ＴＥＣ controller)３１、サーミスタ(thermistor)３２及びＴＥＣ３４で構成され、前記ＴＥＣ制御器３１はサーミスタ３２を通じてファブリーペローレーザー３３の温度を感知し、ＴＥＣ３４を利用して前記ファブリーペローレーザー３３の温度を調節するようになる。
【００１３】
しかし、前記従来技術の場合、ファブリーペローレーザーにサーミスタとＴＥＣを結合するので、パッケージング(Packaging)費用が増加し、ＴＥＣ制御器を付加的に装着するので、全般的な費用が増加するようになる。結局、加入者に高い経済的負担を要求するので、波長分割多重方式受動型光加入者ネットワークはまだ実用化されていない。
【発明の開示】
【発明が解決しようとする課題】
【００１４】
従って、本発明の目的は、波長分割多重方式光通信に使用される経済的な光源として、温度制御器を使用しなくても、温度変化に関係なく外部光注入により波長ロックが維持されるようにするファブリーペローレーザーの波長ロックを維持する方法及びこれを利用した波長分割多重方式光源を提供することにある。
【課題を解決するための手段】
【００１５】
上述した目的を達成するための本発明は、スペクトル分割された非干渉性光を注入して前記注入光の波長と一致する発振モードのみを増幅して出力するファブリーペローレーザーと、前記ファブリーペローレーザーに提供されるバイアス電流を温度と、温度に応じて変わる注入光と発振モードの波長との間の関係と、に応じて変わる前記ファブリーペローレーザーのしきい値電流に隣接した値に調節するバイアス制御部と、からなることを特徴とする。
【００１６】
望ましくは、前記バイアス制御部は、前記ファブリーペローレーザーのしきい値電流を感知するしきい値電流感知器と、前記感知されたしきい値電流に応じて前記ファブリーペローレーザーに提供されるバイアス電流を調節するバイアス制御器と、からなり、前記ファブリーペローレーザーに提供されるバイアス電流が前記ファブリーペローレーザーのしきい値電流の０.５倍以上、１.５倍以下になるように調節することを特徴とする。
【００１７】
また、本発明の外部温度変化に関係なくファブリーペローレーザーの波長ロックを維持する方法は、温度と、温度に応じて変わる注入光と発振モードの波長との間の関係と、に応じて変わる前記ファブリーペローレーザーのしきい値電流を測定する過程と、前記しきい値電流に隣接した値のバイアス電流を前記ファブリーペローレーザーに提供する過程と、スペクトル分割された非干渉性光を前記ファブリーペローレーザーに注入する過程と、からなることを特徴とする。
望ましくは、前記ファブリーペローレーザーに提供されるバイアス電流は、前記ファブリーペローレーザーのしきい値電流の０.５倍以上、１.５倍以下であることを特徴とする。
【発明の効果】
【００１８】
本発明は、ファブリーペローレーザーのバイアスを温度と、温度に応じて変わる注入光と発振モードの波長との間の関係と、に応じて適切に調節することにより、温度調節器を使用しなくても外部温度変化に関係なくファブリーペローレーザーの波長ロックを維持することができる。
【００１９】
従って、本発明は温度調節器が不要な経済的であり、効率的な波長分割多重方式光源及びこれを利用した波長分割多重方式受動型光加入者ネットワークを具現することができる利点がある。
【００２０】
本発明のバイアス電流で動作する波長ロックされたファブリーペローレーザーは、温度調節器を使用しなくても温度変化に関係なく伝送特性を維持することができるので、波長分割多重方式光送信器の経済的な具現に応用されることができる。
【発明を実施するための最良の形態】
【００２１】
以下、本発明に従う好適な一実施形態について添付図を参照しつつ詳細に説明する。下記の説明において、本発明の要旨のみを明瞭にする目的で、関連した公知機能又は構成に関する具体的な説明は省略する。
【００２２】
図４はファブリーペローレーザーの温度に応じたしきい値電流(threshold current)の変化を示したものとして、これを参照して本発明の技術的原理を説明すると、次のようである。
図４を参照すると、温度が０℃(Ｏ)から６０℃(Ｕ)に増加するとき、しきい値電流は１０ｍＡから２７ｍＡに増加するようになる。このような急激なしきい値電流の変化により、ファブリーペローレーザーの波長ロック現象及びこれを利用した伝送特性は多くの影響を受けるようになる。例えば、ファブリーペローレーザーのバイアスが２０ｍＡと仮定すると、温度が低いときは、しきい値電流がバイアス電流に比べて相対的に小さいので、ファブリーペローレーザーは多数の強い発振モードを有するようになる。従って、光注入による周辺モード抑制率が低下するようになり、結果的に伝送特性が悪くなる。温度が高いときは、しきい値電流がバイアス電流に比べて相対的に大きいので、ファブリーペローレーザーの光出力が弱くて伝送特性が悪くなる。また、温度の変化は注入光とファブリーペローレーザー発振モードのスペクトル重なり(spectral overlap)を変化させるので、波長ロック現象及びこれを利用した伝送特性にも影響を与えるようになる。注入光の中心波長と発振モードの波長がよく一致する場合とよく一致しない場合は、ファブリーペローレーザー共振器の特性変化により、しきい値電流の変化をもたらし、それぞれ異なる伝送特性を示す。従って、温度調節器がないファブリーペローレーザーを使用する場合、波長ロックを通じて良好な伝送特性を温度変化に関係なく得るためには、ファブリーペローレーザーに供給されるバイアス電流を温度に応じて変わるファブリーペローレーザーのしきい値電流に隣接した値に調節することが非常に重要である。ここで、しきい値電流に隣接した値とは、前記しきい値電流とほぼ同一の値を意味するが、必要に応じて温度調節器なしで使用可能なファブリーペローレーザーのバイアス電流(Ｉｂ)は、大略、ファブリーペローレーザーのしきい値電流(Ｉｔｈ)の０.５倍以上、１.５倍以下(０.５Ｉｔｈ≦Ｉｂ≦１.５Ｉｔｈ)である。
【００２３】
図５は本発明の望ましい実施形態に従う波長ロックされたファブリーペローレーザーを利用した波長分割多重方式光源の構成を示した図である。
本発明の波長分割多重方式光源１００は、注入光により波長ロックされ、波長分割多重化された光信号を伝送リンク３００に出力する機能を遂行し、自然放出光源(ASE source)１１０と、循環器(circulator)１２０と、１xＮアレイ導波路回折格子(ＡＷＧ)１３０と、Ｎ個のファブリーペローレーザーモジュール２００とを含んで構成される。また、Ｎ個のファブリーペローレーザーモジュール２００はそれぞれファブリーペローレーザー(ＦＰ-ＬＤ)２１０とバイアス制御部２２０を含む。
前記自然放出光源(Amplified Spontaneous Emission)１１０は広い線幅を有する非干渉性光源として、前記ファブリーペローレーザー２１０に注入される光を生成して出力する。
【００２４】
前記循環器１２０は第１乃至第３ポートを備え、前記自然放出光源１１０で生成されて第１ポートに入力された非干渉性光を、第２ポートを通じて前記１xＮアレイ導波路回折格子１３０に出力する。また、第２ポートを通じて前記１xＮアレイ導波路回折格子１３０から入力される非干渉性光に波長ロックされた波長分割多重光を、第３ポートを通じて前記伝送リンク３００に出力する。
【００２５】
前記１xＮアレイ導波路回折格子１３０は前記循環器１２０と前記ファブリーペローレーザーモジュール２００間に配置され、一つの多重化ポートとＮ個の逆多重化ポートを備える。前記アレイ導波路回折格子１３０は前記循環器１０２の第２ポートを通じて多重化ポートに入力される自然放出光をそれぞれ中心波長が異なる非干渉光チャネルに分離してＮ個の前記ファブリーペローレーザーモジュール２００に出力し、また前記ファブリーペローレーザーモジュール２００から入力される波長ロックされた光を多重化して前記循環器１２０の第２ポートに出力する機能を遂行する。
【００２６】
前記ファブリーペローレーザーモジュール２００は前記アレイ導波路回折格子１３０のＮ個の逆多重化ポートにそれぞれ一つずつ連結され、ファブリーペローレーザー(ＦＰ-ＬＤ)２１０とバイアス制御部２２０を含んで構成される。前記ファブリーペローレーザー２１０は前記アレイ導波路回折格子１３０によりスペクトル分割された非干渉性光に波長ロックされた光を出力する。前記バイアス制御部２２０は、温度と、温度に応じて変わる注入光と発振モードの波長との間の関係と、に応じて変わる前記ファブリーペローレーザー２１０のバイアスを調節する機能を遂行し、しきい値感知器２２１とバイアス制御器２２２で構成される。前記しきい値感知器２２１は、温度と、温度に応じて変わる注入光と発振モードの波長との間の関係と、に応じて変わる前記ファブリーペローレーザー２１０の発振しきい値電流を感知し、前記バイアス制御器２２２は前記ファブリーペローレーザー２１０のバイアス電流を前記しきい値電流に隣接した値に調節する。ここで、しきい値電流に隣接した値とは前記しきい値電流とほぼ同一の値を意味するが、必要に応じてファブリーペローレーザーのしきい値電流(Ｉｔｈ)の０.５倍以上、１.５倍以下(０.５Ｉｔｈ≦Ｉｂ≦１.５Ｉｔｈ)の範囲で適切に調節することができる。
【００２７】
図６乃至図８はそれぞれ本発明の第１、第２、第３実施形態に従うファブリーペローレーザーモジュール２００の構成例を示した図であり、前記図５のしきい値感知器２２１の構成を変更して具現した例を示したものである。
【００２８】
先ず、図６に示されたファブリーペローレーザーモジュール２２０は、ファブリーペローレーザー(ＦＰ-ＬＤ)２１０と、インピーダンスセンサー(impedance sensor)２２１ａと、バイアス制御器(bias controller)２２２と、を含み、インピーダンスセンサー２２１ａのインピーダンス変化を通じてファブリーペローレーザー(ＦＰ-ＬＤ)２１０のしきい値電流を感知するための構成である。これはファブリーペローレーザー２１０が発振しきい値を前後にして電気的特性(例えば、抵抗値)が大きく変化することを利用したもので、インピーダンス変化を感知してバイアスを調節する。
【００２９】
図７のファブリーペローレーザーモジュール２２０は、ファブリーペローレーザー(ＦＰ-ＬＤ)２１０と、光パワーセンサー(Optical power sensor)２２１ｂと、バイアス制御器２２２と、を含み、光パワーセンサー２２１ｂの光出力変化を通じてファブリーペローレーザー２１０のしきい値電流を感知するための構成である。これはファブリーペローレーザー２１０の光出力が発振しきい値を前後にして急激に増加することを利用したもので、光パワー変化を感知してバイアスを調節する。
【００３０】
図８のファブリーペローレーザーモジュール２２０は、ファブリーペローレーザー２１０と、バイアス制御器２２２と、温度センサー(Temperature sensor)２２３と、を含む。これは前記ファブリーペローレーザー２１０の各温度別しきい値電流を予め測定してこれをデータ化したルックアップテーブル(lookup-table)２２１ｃを作成した後、温度センサー２２３によりファブリーペローレーザー２１０の温度を感知して、これに対応されるしきい値電流値を既に作成されたルックアップテーブル２２１ｃで検索し、これによってバイアスを調節する。
【００３１】
上述した本発明の詳細な説明では具体的な実施形態について説明したが、本発明の範囲を外れない限り、多様な変形が可能なことはもちろんである。したがって、本発明の範囲は説明した実施形態に限定して定められてはならず、特許請求の範囲だけでなくこの許請求の範囲と均等なものにより定められなければならない。
【図面の簡単な説明】
【００３２】
【図１】一般的なファブリーペローレーザーの波長ロック現象を説明するための図である。
【図２】周囲温度変化に応じた外部注入光とファブリーペローレーザー出力光の波長変化を示した図である。
【図３】従来温度調節器が装着されたファブリーペローレーザーの構造を示した図である。
【図４】一般的なファブリーペローレーザーの温度変化に応じたしきい値電流の変化を示した図である。
【図５】本発明の望ましい実施形態に従う波長ロックされたファブリーペローレーザーを利用した波長分割多重方式光源の構成を示した図である。
【図６】図５に適用されたファブリーペローレーザーモジュールの第１構成例を示した図である。
【図７】図５に適用されたファブリーペローレーザーモジュールの第２構成例を示した図である。
【図８】図５に適用されたファブリーペローレーザーモジュールの第３構成例を示した図である。
【図１】
2004327988.tif 000003
【図２】
2004327988.tif 000004
【図３】
2004327988.tif 000005
【図４】
2004327988.tif 000006
【図５】
2004327988.tif 000007
【図６】
2004327988.tif 000008
【図７】
2004327988.tif 000009
【図８】
2004327988.tif 000010